(57)【要約】【課題】熱交換器と、外郭を形成し室内ユニット本体に対し開閉可能な吸込みグリルとの間に装着されるエアフィルターにおいて、デザイン性や操作性を損ねることなく取手部に要するスペース最小化を可能とすること。【解決手段】エアフィルターの枠部表面より水平方向に同軸となる円形の穴を有する軸受部を2ヵ所設けたエアフィルターと、人が指で摘む平面部を有する取手部の平面部の水平方向の両端面より外側にエアフィルター軸受部と相対する軸部を設け、軸受部と取手部軸部を嵌合させて、軸周りの回転としてエアフィルターの枠表面に対し並行から垂直になる程度の回転を可能とする。【選択図】図２
2006071234.tif 000002
【特許請求の範囲】
【請求項１】
空気調和機の室内ユニットに内臓される熱交換器と、外郭を形成し室内ユニット本体に対し開閉可能な吸込みグリルとの間に装着されるエアフィルターにおいて、前記エアフィルターの枠部表面より水平方向に同軸となる円形の穴を有する軸受部を2ヵ所設けたエアフィルターと、人が指で摘む平面部を有する取手部の前記平面部の水平方向の両端面より外側に前記エアフィルターの軸受部と相対する軸部を設け、前記エアフィルターの軸受部と前記取手部の軸部を嵌合させて、前記軸周りの回転として前記エアフィルターの枠表面に対し並行から垂直になる程度の回転を可能としたことを特徴とする空気調和機室内ユニットのエアフィルター。
【請求項２】
エアフィルター軸受部の円形の穴の内壁に凸形状を設け、取手部の軸部には前記軸受部穴の凸形状に相対する凸部を設け、前記軸周りの回転により前記軸受部の凸形状と前記軸部の凸形状が互いに乗り越え、前記エアフィルターの枠表面に対して垂直になる位置を保持させることを可能としたことを特徴とする請求項１記載のエアフィルター。
【請求項３】
取手部に平面部と並行でかつ軸部より対向側にヒンジ形状を設け、軸周りの回転により前記ヒンジ形状がたわみ、取手部から手を離すとヒンジ形状が元の形状に戻ることにより、取手部もエアフィルターの枠表面と並行な位置に戻ることを可能としたことを特徴とする請求項１記載のエアフィルター。
【発明の詳細な説明】
【技術分野】
【０００１】
本発明は、空気調和機に関し、さらに詳しくは空気調和機の室内ユニットに装着されるエアフィルターの構成に関するものである。
【背景技術】
【０００２】
従来の空気調和機室内ユニットについて図面を参照しながら説明する。
従来の空気調和機の室内ユニットは図７に示すように、室内ユニット１に内臓される熱交換器２と、外郭を形成し室内ユニット本体に対し開閉可能な吸込みグリル３とのその間に装着されるエアフィルター４を備えており、エアフィルター４には着脱操作を容易にするための取手部５ａがエアフィルター４の枠表面に対し垂直に構成されていた（例えば、特許文献１参照）。
【特許文献１】特開平８−１２８７１８号公報
【発明の開示】
【発明が解決しようとする課題】
【０００３】
しかしながら、前記従来の構成では、エアフィルターの取手部が前記エアフィルターの枠表面と垂直に構成されているため、前記取手部に人が指で摘める平面部を構成するには前記エアフィルターと吸込みグリルとの間に前記取手部用のスペースを設ける必要があり、また、外郭のデザインによってはスペース不足から前記取手部に人が指で摘める十分な平面部を設けることができないといった課題を有していた。
【０００４】
本発明は、前記従来の課題を解決するもので、小スペースでもエアフィルターの着脱操作性を向上させることを特徴とした空気調和機の室内ユニットを提供することを目的とする。
【課題を解決するための手段】
【０００５】
前記従来の課題を解決するために、本発明の空気調和機の室内ユニットは、エアフィルターの枠部表面より水平方向に同軸となる円形の穴を有する軸受部を2ヵ所設けたエアフィルターと、人が指で摘む平面部を有する取手部の前記平面部の水平方向の両端面より外側に前記エアフィルターの軸受部と相対する軸部を設け、前記エアフィルターの軸受部と前記取手部の軸部を嵌合させて、前記軸周りの回転として前記エアフィルターの枠表面に対し並行から垂直になる程度の回転を可能としたことを特徴とするものである。
上記の構成によって、エアフィルターを着脱する際には、取手部をエアフィルターの枠表面と垂直にし、それ以外の時は、前記取手部をエアフィルターの枠表面と並行に収納することが可能となり、着脱操作性を損ねることなく吸込みグリルとエアフィルターとの間のスペースを最小限にすることができる。
【０００６】
また、請求項２に記載の発明は、エアフィルター軸受部の円形の穴の内壁に凸形状を設け、取手部の軸部には前記軸受部穴の凸形状に相対する凸部を設け、前記軸周りの回転により前記軸受部の凸形状と前記軸部の凸形状が互いに乗り越え、前記エアフィルターの枠表面に対して垂直になる位置を保持させることを可能としたことを特徴とするものである。
上記の構成によって、エアフィルターを着脱する際は、取手部をエアフィルターの枠表面と垂直に固定し、それ以外は取手部をエアフィルターの枠表面と並行に固定しておくことが可能となり、エアフィルターの着脱をスムーズにすることができる。
【０００７】
また、請求項３に記載の発明は、取手部に平面部と並行でかつ軸部より対向側にヒンジ
形状を設け、取手部を持つと軸周りの回転により前記ヒンジ形状がたわみ取手部がフィルターの枠表面と垂直になり、取手部から手を離すとヒンジ形状が元の形状に戻ることによって、取手部もエアフィルターの枠表面と並行な位置に戻ることを可能としたことを特徴するものである。
上記の構成によって、着脱操作後取手部から手を離すと自動的に取手部がエアフィルターの枠表面と並行な状態に戻り、吸込みグリルを閉める際にも邪魔にならない。
【発明の効果】
【０００８】
本発明の空気調和機の室内ユニットは、エアフィルターの取手部に要するスペースを最小限にすることができ、デザイン性やエアフィルターの着脱操作性を損なうことなくこの種の室内ユニットの構成を可能にするものである。
【発明を実施するための最良の形態】
【０００９】
第１の発明は、エアフィルターの枠部表面より水平方向に同軸となる円形の穴を有する軸受部を2ヵ所設けたエアフィルターと、人が指で摘む平面部を有する取手部の前記平面部の水平方向の両端面より外側に前記エアフィルターの軸受部と相対する軸部を設け、前記エアフィルターの軸受部と前記取手部の軸部を嵌合させて、前記軸周りの回転として前記エアフィルターの枠表面に対し並行から垂直になる程度の回転を可能としたもので、
これにより、エアフィルターを着脱する際には、取手部をエアフィルターの枠表面と垂直にし、それ以外の時は、前記取手部をエアフィルターの枠表面と並行に収納することが可能となり、着脱操作性を損ねることなく吸込みグリルとエアフィルターとの間のスペースを最小限にすることができる。
【００１０】
第２の発明は、特に第１の発明のエアフィルター軸受部の円形の穴の内壁に凸形状を設け、取手部の軸部には前記軸受部穴の凸形状に相対する凸部を設け、前記軸周りの回転により前記軸受部の凸形状と前記軸部の凸形状が互いに乗り越え、前記エアフィルターの枠表面に対して垂直になる位置を保持させることを可能としたもので、これにより、エアフィルターを着脱する際は、取手部をエアフィルターの枠表面と垂直に固定し、それ以外は取手部をエアフィルターの枠表面と並行に固定しておくことが可能となり、エアフィルターの着脱をスムーズにすることができる。
【００１１】
第３の発明は、特に第１の発明のエアフィルター取手部に平面部と並行でかつ軸部より対向側にヒンジ形状を設け、取手部を持つと軸周りの回転により前記ヒンジ形状がたわみ取手部がフィルターの枠表面と垂直になり、取手部から手を離すとヒンジ形状が元の形状に戻ることによって、取手部もエアフィルターの枠表面と並行な位置に戻ることを可能としたもので、これにより、着脱操作後取手部から手を離すと自動的に取手部がエアフィルターの枠表面と並行な状態に戻り、吸込みグリルを閉める際にも邪魔にならない。
【００１２】
以下、本発明の実施の形態について、図面を参照しながら説明する。従来の技術で説明した図７と共通の構成要素については同一番号を付して、詳細説明を省略する。なお、この実施の形態によって本発明が限定されるものではない。
【００１３】
（実施の形態１）
図１は本発明の第１の実施の形態における室内ユニットの断面図を示している。
図２はエアフィルター取手部の詳細を示す断面図で、図３はその取手部の正面図である。
【００１４】
図１、図２、図３に示すように、吸込みグリル３と熱交換器２との間にエアフィルター４が装着されている。エアフィルター４の枠部表面より水平方向に同軸となる円形の穴を有する軸受部６を2ヵ所設けたエアフィルター４と、人が指で摘む平面部を有する取手部５ｂの前記平面部の水平方向の両端面より外側にエアフィルター４の軸受部６と相対する
軸部７を設け、エアフィルター４の軸受部６と取手部５ｂの軸部７を嵌合させて、前記軸周りの回転としてエアフィルター４の枠表面に対し並行から垂直になる程度の回転を可能としたもので、これにより、エアフィルター４を着脱する際には、取手部５ｂをエアフィルター４の枠表面と垂直にし、それ以外の時は、取手部５ｂをエアフィルター４の枠表面と並行に収納することが可能となり、着脱操作性を損ねることなく吸込みグリル３とエアフィルター４の間のスペースを最小限にすることができる。
【００１５】
（実施の形態２）
図４は本発明の第２の実施の形態における取手部の詳細を示す断面図を示すもので、
エアフィルター４の軸受部６の円形の穴の内壁に凸形状８を設け、取手部５ｂの軸部７には軸受部６の穴の凸形状８に相対する凸部９を設け、前記軸周りの回転により軸受部６の凸形状８と軸部７の凸形状９が互いに乗り越え、エアフィルター４の枠表面に対して垂直になる位置を保持させることを可能としたもので、これにより、エアフィルター４を着脱する際は、取手部５ｂをエアフィルター４の枠表面と垂直に固定しそれ以外は取手部５ｂをエアフィルター４の枠表面と並行に固定しておくことが可能となり、エアフィルター４の着脱をスムーズにすることができる。
【００１６】
（実施の形態２）
図５は本発明の第３の実施の形態における取手部の詳細を示す断面図で、図６はその取手部の正面図である。
図５、図６に示すように、エアフィルター４の取手部５ｂに平面部と並行でかつ軸部７より対向側にヒンジ形状１０を設け、取手部５ｂを持つと軸周りの回転によりヒンジ形状１０がたわみ取手部５ｂがエアフィルター４の枠表面と垂直になり、取手部５ｂから手を離すとヒンジ形状１０が元の形状に戻ることによって、取手部５ｂもエアフィルター４の枠表面と並行な位置に戻ることを可能としたもので、これにより、着脱操作後取手部５ｂから手を離すと自動的に取手部５ｂがエアフィルター４の枠表面と並行な状態に戻り、吸込みグリル３を閉める際にも邪魔にならない。
【図面の簡単な説明】
【００１７】
【図１】本発明の実施の形態１における室内ユニットの断面図
【図２】本発明の実施の形態１におけるエアフィルター取手部の詳細断面図
【図３】本発明の実施の形態１におけるエアフィルター取手部の詳細正面図
【図４】本発明の実施の形態２におけるエアフィルター取手部の詳細断面図
【図５】本発明の実施の形態３におけるエアフィルター取手部の詳細断面図
【図６】本発明の実施の形態３におけるエアフィルター取手部の詳細正面図
【図７】従来の空気調和機の室内ユニットの断面図
【符号の説明】
【００１８】
１  室内ユニット本体
２  熱交換器
３  吸込みグリル
４  エアフィルター
５ａ  取手部（従来技術）
５ｂ  取手部
６  軸受部
７  軸部
８  凸形状（軸受部）
９  凸形状（軸部）
１０  ヒンジ形状
【図１】
2006071234.tif 000003
【図２】
2006071234.tif 000004
【図３】
2006071234.tif 000005
【図４】
2006071234.tif 000006
【図５】
2006071234.tif 000007
【図６】
2006071234.tif 000008
【図７】
2006071234.tif 000009